(57)【特許請求の範囲】
【請求項１】
プラント構成機器群毎に運転制御する複数の運転制御監視部と、これらの運転制御監視部を統括する運転統括部とから構成される分散型制御システムが導入されたプラント運転支援システムであって、
各プラント構成機器における運転方法が記載された運転手順書データが記録された手順書データサーバと要求された運転手順書データを検索する手順書データ処理部を具備した手順書データサーバ部と、
前記手順書データサーバと結合されると共に、各運転制御監視部に対応して備えられ、操作情報要求を入力する情報要求入力部と、操作情報要求に対応づけられて運転履歴データを記録した履歴データベースと、前記入力された操作情報要求に対応する運転履歴データを検索・抽出する履歴データ処理部と、前記入力された操作情報要求に応じて得られた運転手順書データから運転手順書を作成する手順書作成部と、当該手順書作成部で作成された運転手順書と前記履歴データ処理部で得られた運転履歴データを表示する表示部とを具備するプラント運転支援部とを備え、
前記プラント運転支援部は、運転手順書の表示中に前記情報要求入力部から入力された操作情報要求に基づいて、前記履歴データベースに記録されたプロセスデータの平均値及び偏差値を演算するプロセスデータ演算部を備え、当該演算された平均値及び偏差値をグラフとして表示可能にしたことを特徴とするプラント運転支援システム。
【請求項２】
プラント構成機器群毎に運転制御する複数の運転制御監視部と、これらの運転制御監視部を統括する運転統括部とから構成され且つ計測データの異常を判定し警報を検知し警報情報を出力する警報データ処理部を具備する分散型制御システムが導入されたプラント運転支援システムであって、
各プラント構成機器における運転方法が記載された運転手順書データが記録された手順書データサーバと要求された運転手順書データを検索する手順書データ処理部を具備した手順書データサーバ部と、
前記手順書データサーバと結合されると共に、各運転制御監視部に対応して備えられ、操作情報要求を入力する情報要求入力部と、操作情報要求に対応づけられて運転履歴データを記録した履歴データベースと、前記入力された操作情報要求に対応する運転履歴データを検索・抽出する履歴データ処理部と、前記履歴データ処理部により抽出された前記運転履歴データを所定の順序で出力する警報処理部と、前記入力された操作情報要求に応じて得られた運転手順書データから運転手順書を作成する手順書作成部と、当該手順書作成部で作成された運転手順書と前記警報処理部から出力された運転履歴データを表示する表示部と、を具備するプラント運転支援部とを備え、
前記履歴データベースは、前記警報データ処理部から過去に出力された過去の警報情報を当該過去の警報情報に対応する運転履歴データと対応付けて記録しており、
前記履歴データ処理部は、前記警報データ処理部から出力される現在の警報情報に基づいて前記履歴データベースを検索し、前記現在の警報情報に対応する前記過去の警報情報に対応付けて記録されている運転履歴データを抽出する
ことを特徴とするプラント運転支援システム。
【発明の詳細な説明】
【０００１】
【発明の属する技術分野】
本発明は、発電所や廃棄物処理施設、化学工場等の各種プラントにて、特に分散型制御システムを用いてプラントの運転を支援するためのプラント運転支援システムに関する。
【０００２】
【従来の技術】
火力発電プラントや浄水プラントなど各種プラントの運転制御には、コンピュータを用いた運転制御システムが導入されている。例えば、火力発電プラントを例に挙げてみれば、燃料を供給する燃料供給装置、燃料を燃焼させるボイラー、ボイラーによって変換された水蒸気によってタービンを回転させ、電気に変換する発電装置などの各種プラント構成機器から構成されている。また、これらの各種プラント構成機器においては、燃料の供給量、ボイラーの燃焼温度、タービンの回転数や冷却用循環水の温度を測定する各種プロセス計器が多数各プラント構成機器に備えつけられている。これらのプラント構成機器の運転制御は、通例中央操作室などプラント現場から遠隔地に設置された運転統括計算機によって行なわれており、プラント計器により測定された測定値は、中央操作室に備えられた制御用コンピュータにより集中監視され、必要に応じてプラント構成機器の運転制御を行なったり、運転員に警告等を発したりしている。
【０００３】
これらプラントの運転制御は、大規模なプラントにあっては、いわゆる分散処理、例えば各運転系統毎に監視制御されることが多い。図４２は当該分散型制御システムの模式図、図４３は当該分散型制御システム１の概略構成図である。分散型制御システムにあっては上記したように、プラント構成機器３０は、例えば燃料供給系統、ボイラー系統、発電系統など各機能毎に、運転施設Ａ、運転施設Ｂ、以下運転施設Ｃ………などと系統別（プロセス毎）に構成されている。また、各運転施設においては、各種のプラント構成機器３０に多くのプロセス計器４０が備えられており、当該プロセス計器４０によって計測された各種の計測データは、各運転施設ごとに備えられた運転制御監視装置Ａ、運転制御監視装置Ｂ、以下運転制御監視装置Ｃ……によって監視されている。
【０００４】
これらの運転制御監視装置１０はそれぞれ、各プロセス計器４０から測定データを収集するプロセスデータ収集部１１と、前記プロセスデータ収集部１１から得られた計測データの異常を判定し、警報を発生する警報データ処理部１２と、当該警報となった過去の計測データや異常発生日時、異常発生箇所並びにそれに付随して生じるデータ等の履歴データを保存、検索する履歴データ処理部１３並びに前記履歴データを保存する履歴データベース１４及び警報データ処理部１２で検知した異常を表示したり、現在の計測データを表示判断する表示処理部１５、当該表示処理部１５で処理されたデータを表示する例えばＣＲＴなどの表示装置１６及び運転統括計算機２０や他の運転制御監視装置１０とのデータをやりとりするデータ送受信部１７が備えられている。
【０００５】
これらの各運転制御監視装置１０は外部インターフェース１８を介して、ＬＡＮなどのケーブルや無線などによって接続されていると共に、中央操作室に設置された運転統括計算機２０に接続されている。
【０００６】
また、運転統括計算機２０は、外部インターフェース２３を介して、運転制御監視装置１０から計測データや警報データを受信したり、或いは各プラント構成機器３０を制御する制御データを送信するデータ送受信部２２及び受信した計測データなどから制御データを演算するガイドデータ計算部２１を備えている。
【０００７】
このように、分散型監視システムでは、監視対象とするプロセス区分別にデータを収集することによりデータ管理を行う方法が一般的であって、通例、運転制御監視装置１０がプロセス挙動を監視・計測し、重要なプロセス運転時の実行可否の判断や運転データの長期的な管理を運転統括計算機２０にて行うように大別される。
【０００８】
このような分散型制御システムでは、下位に位置する運転制御監視装置１０の運転操作の判断基準点（ブレークポイント）においては、運転員が予め作成していた運転手順書や過去に行ってきた同種の運転の記録が纏められた運転日誌などを確認する方法や、或いは上位に位置する運転統括計算機２０に設定されているデータパラメータにより、運転操作の方法や設定値等の情報を得た上で、プラントの運転制御を行なうという方法が採用されている。また、運転中に警報が発生した場合には、警報の発生状況などを画面表示して運転員に知らせるなどの方法が採用され、運転員の負荷低減を考慮するような制御システムも採用される場合もある。
【０００９】
【発明が解決しようとする課題】
このように通常の運転状態においては、プラント運転員は予め作成した運転手順書を元にして、プラントの運転制御を行っている。運転手順書には、プラントの監視運転に必要な操作手順が記載されており、通常、運転施設や運転工程別に仕分けされて作成されている。さらに具体的に言えば、各プラント構成機器３０において操作すべき操作ボタンや操作スイッチ、操作量、その時の目標となる計測データなどが記載されており、プラント運転員は、必要な運転手順書を参照しながら、運転手順書に書かれた運転操作を行なう。
【００１０】
これらの運転手順書は、一般的に定められた注意事項や運転操作後にプラント状態がどのように変化するのか、すなわち一定の操作をした場合における過渡応答における具体的な計測データの変化等、プラントの運転を積み重ねることにより追記されて経験的に作成されるものである。また、実際の運転画面やトレンドグラフのハードコピー、運転員のメモ等がプラント運転のノウハウとして運転員の日誌に記録される場合もある。
【００１１】
しかしながら、新規プラントや初期の運転段階のような場合には、詳細かつ適切な手順が十分には決められておらず、従って、プラントの初期運転時には運転手順書や運転日誌の参照が頻発し、プラント運転の操作負担が重くなる。さらに、運転手順書の見直しや運転記録の作成等の繁雑な作業による運転員の負担がより一層大きくなる傾向にある。
【００１２】
また、従来の方法にて作成された運転手順書や運転記録は、図書として紙に印刷されたものであり、これらを参照する場合には個々の記載内容を目視して参照する必要があった。この場合、必要なデータを取り出すためには運転員の経験や力量あるいは整理方法に負うところが大きくなる上に使用性も悪く、蓄積したデータの有効活用が著しく困難になるという第２の問題があった。
【００１３】
第３に、通常の運転時にあっても、監視対象項目の計測データを採取する場合、繰り返し同じ運転操作を行うことになる。監視対象項目が多い場合には、計測データを採取するだけであっても、操作のたび毎に運転記録を残す必要があるため、運転員の負担が大きくなるという問題もあった。
【００１４】
また、第４には、上記した分散型制御システムでは、プラントの運転を各運転施設ごとに区分している場合が多く、例えば、燃料や冷却水量など、各運転施設間において物資授受が行われる場合、送出側からの送出し要求に対して、受入側での監視対象項目の確認結果等の情報は、送出し側に反映されないのが通常である。そのため、運転操作一連の確認項目が分断されており、各運転施設毎の履歴データとしてしか残らないため、運転操作時における運転施設相互間の動向が明確に把握できないという問題があった。
【００１５】
さらに第５に、監視対象物質の時間推移に対する状態の変化等、プラントの過渡反応データは従来、トレンドグラフをグラフデータとして記録していた。この場合、多種の物質状態の過渡反応データを収集する際には、運転操作するたび毎に運転操作に対応した入力表示要求が必要となり、スムーズな運転操作を阻害するという問題があった。
【００１６】
第６に、上記のようにトレンドグラフやデータロガー等によるプラントの過渡反応データの記録は、通常、例えば具体的な操作や記録日時が記録された運転日誌と対応させて記録されるため、過渡反応時のプラント運転操作を確認するには、まず運転日誌等を参照する必要があった。一方、記録されたグラフデータは、ファイル名やプロファイルデータとしてグラフデータ側のみに対応した運転方法が記載されることが多く、必要となるデータを探し出す手間がかかり、必要なデータを運転手順書側から検索し難いという問題もある。
【００１７】
次に第７の問題として、以前行った同様の運転操作における運転実績データを参照する場合、ある特定時点での運転実績データを参照するだけでは、標準的なプロセス挙動がどのような状態となるのかが不明であったことが挙げられる。
【００１８】
次に第８として、警報設計値との対応において設計許容値範囲内のデータと範囲外のデータとの区別が付きにくく、警報等が出るまではプロセス挙動の変調になかなか気付き難く、異常兆候を知覚することが直感的に判らないという問題もあった。
【００１９】
また第９の問題として、運転員が運転日誌に対して添付されている系統画面やタグウインドウ等の画像データや注意を喚起するメモ等を参照する場合、運転日誌からはその際の画面状態等を参照可能であるが、係る画面データや運転員のメモなどは運転手順書とは別に保管されており、運転操作時には参照しにくく、有効なデータの活用が出来ないという問題があった。
【００２０】
第１０には、運転手順書にはその運転操作の概略が書いてはいるものの、過去に発生した警報発生事象に対して、実際に運転員が行った行動までは詳細には運転日誌等を参照しなければならず、同様の警報が発生した時には、その運転操作を直ちに参照することができず、過去の経験を有意義に利用できず、引いては警報発生に対して迅速な対応ができないという問題もあった。
【００２１】
更に第１１の問題として、運転員による画面やタグウィンドウの展開の有無、タグウィンドウからプロセス操作の有無、操作量等の詳細な操作履歴情報が残っておらず、詳細な運転操作までは再現することができないという問題があった。
【００２２】
本発明は上記従来の問題点に鑑みてなされたものであって、運転手順書と運転手順書に対応した過去の運転操作に関する詳細な各種データの参照を容易にして、運転員の負担を低減させるプラント運転支援システムを提供することを目的としている。
【００２３】
【課題を解決するための手段】
本発明の請求項１に係るプラント運転支援システムは、プラント構成機器群毎に運転制御する複数の運転制御監視部と、これらの運転制御監視部を統括する運転統括部とから構成される分散型制御システムが導入されたプラント運転支援システムであって、各プラント構成機器における運転方法が記載された運転手順書データが記録された手順書データサーバと要求された運転手順書データを検索する手順書データ処理部を具備した手順書データサーバ部と、前記手順書データサーバと結合されると共に、各運転制御監視部に対応して備えられ、操作情報要求を入力する情報要求入力部と、操作情報要求に対応づけられて運転履歴データを記録した履歴データベースと、前記入力された操作情報要求に対応する運転履歴データを検索・抽出する履歴データ処理部と、前記入力された操作情報要求に応じて得られた運転手順書データから運転手順書を作成する手順書作成部と、当該手順書作成部で作成された運転手順書と前記履歴データ処理部で得られた運転履歴データを表示する表示部とを具備するプラント運転支援部とを備え、
前記プラント運転支援部は、運転手順書の表示中に前記情報要求入力部から入力された操作情報要求に基づいて、前記履歴データベースに記録されたプロセスデータの平均値及び偏差値を演算するプロセスデータ演算部を備え、当該演算された平均値及び偏差値をグラフとして表示可能にしたことを特徴としている。
【００２４】
このプラント運転支援システムによれば、蓄積されたプロセスデータの平均値及び偏差値をグラフとして表示させることができる。この結果、これから操作するプラント構成機器のトレンドをグラフとして簡単に得ることができる。また、運転手順書から複雑な操作をすることなく簡単に引き出すことができる。
【００２５】
請求項２に係るプラント運転支援システムは、プラント構成機器群毎に運転制御する複数の運転制御監視部と、これらの運転制御監視部を統括する運転統括部とから構成され且つ計測データの異常を判定し警報を検知し警報情報を出力する警報データ処理部を具備する分散型制御システムが導入されたプラント運転支援システムであって、各プラント構成機器における運転方法が記載された運転手順書データが記録された手順書データサーバと要求された運転手順書データを検索する手順書データ処理部を具備した手順書データサーバ部と、前記手順書データサーバと結合されると共に、各運転制御監視部に対応して備えられ、操作情報要求を入力する情報要求入力部と、操作情報要求に対応づけられて運転履歴データを記録した履歴データベースと、前記入力された操作情報要求に対応する運転履歴データを検索・抽出する履歴データ処理部と、前記履歴データ処理部により抽出された前記運転履歴データを所定の順序で出力する警報処理部と、前記入力された操作情報要求に応じて得られた運転手順書データから運転手順書を作成する手順書作成部と、当該手順書作成部で作成された運転手順書と前記警報処理部から出力された運転履歴データを表示する表示部と、を具備するプラント運転支援部とを備え、前記履歴データベースは、前記警報データ処理部から過去に出力された過去の警報情報を当該過去の警報情報に対応する運転履歴データと対応付けて記録しており、前記履歴データ処理部は、前記警報データ処理部から出力される現在の警報情報に基づいて前記履歴データベースを検索し、前記現在の警報情報に対応する前記過去の警報情報に対応付けて記録されている運転履歴データを抽出することを特徴としている。このため、当該プラント運転支援部にあっては、警報を検知する警報データ処理部から送信された警報情報に従って、過去に発生した同様の警報の際の履歴データを簡単に参照できる。従って、運転員は警報発生時についても、直ちに同様の運転操作を行なえ、過去の経験を有意義に利用できる。
【００３５】
【発明の実施の形態】
本発明の実施の態様を図面を参照して詳細に説明する。
図１に示すプラント運転支援システムは、図４２に示すような分散型制御システムが導入されたプラントにおいて採用されるものであって、第１の実施形態に関するものである。当該プラント運転支援システムは、図１に示すように各運転施設Ａ、運転施設Ｂ・・・毎に対応して設置されるプラント運転支援部１００と、各プラント運転支援部１００と、例えば施設統括ＬＡＮ３０３などによって結合された手順書データサーバ部３００とを備えている。
【００３６】
この実施形態における運転手順書とは、具体的な運転操作方法を、順序よく手順書いわゆるマニュアルとして表示されたものを意味する。例えば、図２に示す運転手順書の表示例では、○○施設××工程として、△△貯槽から□□貯槽への溶液移送運転における運転手順書が、操作方法（本発明においては、以下「操作タグ」と称する）が操作順に、ステップ１として、「△△貯槽側のバルブの弁開度１００％から０％に絞り込む」、ステップ２として、「配管の流量を測定する」、ステップ３として、「配管の流量が○○以下であれば、××ポンプのスイッチをオフする」、以下………と各ステップ毎に順次表示される。
【００３７】
運転手順書は、表示装置であるＣＲＴディスプレイ１５２の画面ほぼ中央の領域（運転手順書表示欄１５３）に表示されている。この運転手順書表示画面にあっては、運転手順書表示欄１５３だけでなく、運転手順書表示欄の右側には、操作タグに関連した測定データを表示するデータ表示欄１５４が各操作タグごとに対応して設けられており、各操作タグに応じて、運転制御監視部２０のプロセス計器４０から測定されたデータが表示される。また、運転手順書表示欄１５３の左側には、各操作方法の順序を示す順序表示部１５５が設けられている。
【００３８】
また、当該ＣＲＴディスプレイ１５２は、運転作業員からの操作情報要求を入力するための入力装置、タッチセンサ１４２を兼ねており、当該運転手順書表示画面においては、運転員が実際に運転操作を行なった場合に当該操作確認を行なう確認表示欄１４３が、運転手順書表示欄１５３の左側に各ステップ毎に対応して設けられている。
【００３９】
さらに、運転手順書表示画面においては、プラント運転支援部１００の構成に応じて、操作タグに対応して割付処理要求を入力する割付処理要求入力欄１４４、画面表示を変更したり、割付処理を実行されるための変更実行入力欄１４５や割付処理要求を変更するための割付処理変更入力欄１４６、さらには各操作タグに対応してその他の各種割付処理を要求するための各種割付処理要求入力欄１４７が表示される。
【００４０】
なお、本実施態様において「割付処理」とは、操作情報入力部１４０から要求のあった運転手順書を表示させるための処理以外の処理を広く意味する。割付処理としては、例えば、履歴データのうちグラフデータを表示させるために画面を変更する処理、他施設間の履歴データ（プロセスデータ）を表示させるために画面を変更する処理などがある。これらの割付処理は、上記運転手順書表示画面上に表示されている割付処理要求入力欄１４４や割付処理変更入力欄１４６あるいはその他必要に応じて各操作タグに対応して表示されるその他の割付処理要求入力欄１４７が用いられる。
【００４１】
また、当該画面上には、閉じる入力部１４８が設けられており、当該閉じる入力部１４８を選択することにより、画面表示が前画面に戻り、操作情報要求、すなわち表示させる運転操作方法を選択するための運転方法入力画面が表示される。また、操作情報要求とは当該タッチセンサ１４２から入力された運転手順書を表示させるために検索キーとなる情報や割付処理を行なわせるために入力された必要な情報を意味する。これらの入力画面は入力処理部１４１により制御されており、表示処理部１５１が当該入力処理部１４１の機能を引き受ける。
【００４２】
手順書データサーバ部３００は、各プラント構成機器３０ごとに、実際の操作手順を示す運転手順書データを記録した手順書データベース３１０と、当該手順書データベース３１０にアクセスし、運転手順書データを記録・検索する手順書データ処理部３２０と、各プラント運転支援部１００と情報要求入力部１４０から入力された操作情報要求や運転手順書データなどのやり取りをするデータ送受信部３０１と、前記施設統括ＬＡＮ３０３と接続するための外部インターフェース３０２を備えている。
【００４３】
当該手順書データサーバ部３００は、通例プラント運転支援システム中に１箇所に集中して設定され、例えば運転統括計算機２０中に構成されるが、保守点検やハードウェアの故障等に備えて１以上の予備の手順書データサーバ部３００を備えることにしてもよい。なお、手順書データサーバ部３００は、上記運転監視制御システムにおける運転統括計算機２０上に置かれる場合が多く、この場合にはデータ送受信部３０１及び外部インターフェース３０２、施設統括ＬＡＮ３０３は、運転統括計算機２０上のデータ送受信部２２及び外部インターフェース２３と共用される。
【００４４】
手順書データベース３１０は、図３に示すように、プラント構成機器３０及び当該プラント構成機器３０の操作手順（操作タグ）に対応して設定される「施設・工程」名が記録された施設・工程フィールド、検索キーとなる各プラント構成機器３０の「運転方法」名が記録された運転方法フィールド、上記「操作タグ」が記録された操作タグフィールド並びに当該運転方法毎に対応し、運転手順書として運転員に指示するための運転手順書データが詳細に書き並べられた運転手順書データフィールドが設けられている。
【００４５】
施設及び工程フィールドには、各プラント構成機器３０の施設名称及び当該構成機器の運転工程、例えば上記の例であれば、「○○施設××工程」など施設・工程名称がそれぞれ略称で記録されている。運転方法フィールドには、施設・工程名称に対応させてそれぞれ運転方法名が、例えば「△△貯槽から□□貯槽への溶液移送」など、運転員が求めようとする操作情報要求に対して適切な名称が設定される。
【００４６】
操作タグフィールドには、前記各運転方法に対応してそれぞれ特定される操作手順が、タグ名称として記録されている。当該操作タグは、運転方法に対応して通例複数のステップを有しており、各操作ごとに適切な数値データとして保存される。また、当該操作タグには、操作の手順を示す必要があり、各操作タグの順序を示すべく、運転方法単位が分かるように操作タグ番号若しくはそれが分かるようなタグ名称が割り当てられる。つまり、操作タグを例えば昇順ソートすることにより、操作のステップが理解されるようになっている。
【００４７】
また、運転手順書データフィールドには、各操作タグごとに具体的な操作手順が、例えば上記例によれば、「△△貯槽側のバルブの弁開度１００％から０％に絞り込む」、「配管の流量を測定する」、「配管の流量が○○以下であれば、××ポンプのスイッチをオフする」などと文書データとして記録される。これらの各フィールドに記載された内容はそれぞれ、「施設・工程」名は、運転手順書表示画面上、「○○施設××工程」の表示に対応し、「運転方法」名は、「△△貯槽から□□貯槽への溶液移送運転」の表示に対応するものである。
【００４８】
手順書データ処理部３２０は、データ送受信部３０１で受信された操作情報要求、すなわち、検索キーとなる情報であって、本実施の形態にあっては、運転方法名を検索キーとして手順書データベース３１０から、指示された運転方法に関するデータを検索し、データ送受信部３０１に送信する。
【００４９】
また、運転手順書データは、プラント構成機器３０の更新や経時変化により、適宜更新する必要があり、当該更新時には情報要求入力部１４０や図示しないキーボードから入力された運転手順書データに基づいて、手順書データ処理部３２０は当該運転手順書データを書き換える。
【００５０】
プラント運転支援部１００は、各運転制御監視装置２０ごとに対応して設けられる。当該プラント運転支援部１００は、運転員が求めようとする操作情報要求を入力する情報要求入力部１４０と、入力された操作情報要求に対応づけられて、実際に操作を行った手順を示す運転履歴データを記録する履歴データベース１１０と、前記入力された操作情報要求に対応する運転履歴データを検索・抽出する履歴データ処理部１２０と、前記履歴データ処理部１２０から得られた運転履歴データと、前記手順書データ処理部３２０で得られた手順書データから、視覚的に分かりやすくした運転手順書を作成する手順書作成部１３０と、当該手順書作成部１３０で作成された運転手順書及び当該運転手順書に対応した運転履歴データとを表示する表示部１５０とを備えている。
【００５１】
また、各プラント運転支援部１００は、外部インターフェース１０２を介して、施設統括ＬＡＮに接続されており、手順書データベース部３００とデータのやり取りをできるようになっている。また、各プラント運転支援部１００には、手順書データベース部３００に必要な手順書データを得るための操作情報要求を送信したり、得られた検索結果、つまり手順書データや操作タグなどを受信するためのデータ送受信部１０１が備えられている。
【００５２】
情報要求入力部１４０は、これから必要とする運転手順書を得るための操作情報要求を入力するためのものであって、例えば、キーボードやＣＲＴディスプレイに備えられたタッチセンサ１４１などの入力装置が用いられる。図１に示すプラント運転支援部１００にあっては、ＣＲＴディスプレイ１５２が具備するタッチセンサ１４１が用いられており、表示装置を兼ね備えたものとなっている。すなわち、ＣＲＴディスプレイ１５２に表示された運転方法、例えば上記例では  「△△貯槽から□□貯槽への溶液移送」などの表示がされており、ＣＲＴディスプレイ１５２画面上の表示領域を触れることにより、要求させる運転手順書が選択される。また、情報要求入力部１４０は、以下に述べる表示処理部１５２により制御されており、表示処理部１５２がタッチセンサ１４１として必要な情報をＣＲＴディスプレイ１５２上に表示させたり、入力された操作情報要求を処理する。
【００５３】
履歴データベース１１０は、実際の運転操作を記録した運転履歴データを記録したものであって、図４に示すように、上記手順書データベース３１０の操作タグと対応した操作タグフィールド、アクセスされた日時や操作が行なわれた日時が記録された保存日時フィールド、運転方法名を記載した運転方法フィールド及び当該運転操作時に実際に行われた操作手順を記録した操作記録フィールド並びに当時の運転操作によって収集されたプロセスデータ（この場合には、瞬時値が記録されている。）やプラント構成機器３０の状態を示すプロセスデータフィールドを具備している。
【００５４】
運転方法フィールドには、運転履歴データの検索キーとなる各プラント構成機器３０の運転方法名が記録され、当該運転方法名は、手順書データベース３１０に用いられた名称と同じ名称が用いられる。また、操作タグフィールドには、前記各運転方法に対応してそれぞれ特定された操作タグ番号若しくはタグ名称として記録されており、当該タグ名称も、前記手順書データベース３１０に用いられた操作タグと同じ操作タグが用いられる。尚、履歴データべース１１０は、設置当初にあっては、それぞれ必要なデータは運転日誌等を参照しながら、適当なキーボードなどの入力手段を用いて手入力等によって記録されている。
【００５５】
履歴データ処理部１２０は、前記情報要求入力部１４０から入力された操作情報要求に基づいて、前記履歴データベース１１０から必要な履歴データ、つまりこれから操作しようとする運転操作に関する操作履歴を検索し、運転員からの要求と一致した当該運転方法に関する当時のプロセスデータを表示部１５０に送信する。
【００５６】
手順書作成部１３０は、前記手順書データベース部３００から得られた運転手順書データを基に、一連の手順として分かりやすく表示可能な手順書表示データ、すなわち図２に示すような運転手順書となるように変換し、表示部１５０に出力する。
【００５７】
表示部１５０は、例えばＣＲＴディスプレイ１５２やプラズマディスプレイなどの表示手段と表示処理部１５２を備えており、表示処理部１５２は前記手順書作成部１３０で得られた手順書表示データや過去の操作履歴や当時のプロセスデータ等をＣＲＴディスプレイ１５２上に表示させる。また、タッチセンサ１４１としての入力処理も併せて行なっており、ＣＲＴディスプレイ１５２に操作情報要求を表示したり、ＣＲＴディスプレイ１５２から入力された操作情報要求を履歴データ処理部１２０やデータ送受信部１０１へ出力する。
【００５８】
また、表示処理部１５２は、図４１に示す運転制御監視装置１０における表示処理部１６をも兼ね備えており、当該運転制御監視システムにおける表示処理を行うことができる。つまり、このＣＲＴディスプレイ１５２は、必要とする操作情報要求を得たり、運転制御を行なうための入力装置と、運転制御に必要な様々な出力結果を出力する出力装置を兼ね備えたものとなっている。
【００５９】
次に、当該プロセス運転支援システムの動作手順について、過去のプロセスデータを運転手順書表示画面上に表示させる場合について、図５のフローチャートに基づき詳細に説明する。まず、これから運転操作を行なう操作情報要求、具体的には、これから得ようとする運転方法や過去の運転日時等（操作情報要求）を入力する。例えば、運転方法としてＣＲＴディスプレイ１５２画面上から（尚、当該画面は、図２に示す運転手順書表示画面上から閉じる入力部１４８を入力することにより、図示しない運転方法入力画面が表示される）、「△△貯槽から□□貯槽への溶液移送」を選択し、必要に応じて入手したい運転日時を入力して、変更実行入力欄１４５をタッチして手順書表示を実行する（ステップＳ１０１）。  情報要求入力部１４０は、当該操作情報要求（検索キー）として、「運転方法」及び「運転日時」を履歴データ処理部１２０へ出力する（ステップＳ１０２）。また、情報要求入力部１４０は、当該操作情報要求のうち、手順書データを得るために必要な情報、つまり「運転方法」についてのみ、データ送受信部１０１から手順書データ処理部３２０へ出力する（Ｓ１０３）。
【００６０】
次に履歴データ処理部１２０は、出力された操作情報要求、すなわち「運転方法」及び「運転日時」を検索キーとして履歴データベース１１０にアクセスし、該当するプロセスデータを検索し、当該プロセスデータを操作タグと共に表示処理部１５２に出力する（Ｓ１０４）。一方、手順書データ処理部３２０は送信された操作情報要求、つまり「運転方法」を検索キーとして手順書データベース３１０にアクセスし、該当する手順書データを検索し、当該手順書データを操作タグと共に手順書作成部１３０に出力する（Ｓ１０５）。続いて、手順書作成部１３０は出力された手順書データに従って、手順書表示データに変換したのち、操作タグと共に表示処理部１５２に出力する（Ｓ１０６）。
【００６１】
表示処理部１５２は、履歴データと手順書表示データとを、操作タグを一致することを条件にして結合し（Ｓ１０７）、ＣＲＴディスプレイ１５２画面上に表示可能な表示信号に変換してＣＲＴディスプレイ１５２に出力し、ＣＲＴディスプレイ１５２画面上に運転手順書と共に参照となる過去のプロセスデータを、データ表示欄１５４に表示する（Ｓ１０８）。
【００６２】
このように、運転員はこれから操作しようとする操作情報要求をＣＲＴディスプレイ１５２上から指示することにより、必要な運転手順書が直ちにＣＲＴディスプレイ１５２上に表示される。また、このとき、参考となる過去のプロセスデータを併せて知ることができる。この結果、従来のように手めくりで履歴データを調べる必要もなく、適切な運転操作をすることが可能になり、運転操作によるプロセス構成機器の挙動を予測し、確認することが容易に行える。
【００６３】
なお、上記実施の形態にあってはプロセスデータとして、瞬間時のデータが記録された場合について説明したが、当該プロセスデータは、連続的な時系列データとして記録された場合にも適用することができる。
【００６４】
図６に示すプラント運転支援システムは第２の実施形態に関するものである。このプラント運転支援システムにおいては、履歴データベース１１０には、プロセスデータが時系列的に記録されており、また、運転手順書表示画面には、当該運転時のプロセスデータがグラフとして表示可能となっている点が第１の実施形態と異なるものである。
【００６５】
すなわち、図７に示すように履歴データベース１１０には、図４に示す履歴データベース１１０にさらにプロセスデータのサンプリング周期を記録した収集周期フィールド及びサンプリング期間を記録した収集期間フィールドが設けられる。また、プロセスデータフィールドには、上記収集周期フィールドに記録されたサンプリング周期で収集されたプロセスデータが連続的に記録されている。
【００６６】
また、履歴データ処理部１２０は、指定された履歴データを検索すると、表示部１５０にプロセスデータ（グラフデータ）と共にサンプリング周期やサンプリング期間に関する運転履歴データを出力する。
【００６７】
表示処理部１５２は、運転手順書をＣＲＴディスプレイ１５２上に表示すると共に、操作情報要求入力部１４０からの指示によって、前記出力されたサンプリング周期やサンプリング期間に基づいて、横軸に経過時間を、縦軸にプロセス量を表示し、画面上にグラフ表示を行なう。また、このとき、履歴データには発生日時が記録されており、当該発生日時に操作記録を対応させて、画面上にグラフ表示を行なわせる。
【００６８】
より具体的に説明すると、当該プラント運転支援システムにおいては、運転手順書表示要求がなされると、図８上段に示すように、図２に示したのと同様な運転手順書表示画面が表示されるが、例えばステップ２の操作タグに対応するデータ表示欄１５４は、割付処理要求入力欄１４７を兼ね備えている。この割付処理入力欄１４７には、例えば「グラフ表示」などの入力要求が表示される。この割付処理要求入力欄１４７をタッチすることにより、運転手順書表示画面が切り変わり、図８に示すようなプロセス挙動データ（グラフ）が表示される。
【００６９】
さらに、このプラント運転支援システムを図９に示すフローチャートに従って説明すると、運転手順書表示画面上からグラフ表示を選択すると（Ｓ２０１）、履歴データ処理部１２０は、当該指示された割付処理要求を元に、履歴データベース１１０を検索し、該当する履歴データを表示部１５０に出力する（Ｓ２０２）。表示部１５０は、これらの履歴データを元にして、操作履歴と操作時期とを割付し（Ｓ２０３）、ＣＲＴディスプレイ１５２上にグラフ表示を行なう（Ｓ２０４）。
【００７０】
このように、プロセスデータとして時系列データとして取り扱うことも可能になり、一連の運転操作とプロセスデータの変化を時系列で追跡することができ、プラントの運転制御がより確実に行なえる。
【００７１】
次に、図１０に示すプラント運転支援システムについて説明する。当該プラント運転支援システムは第３の実施態様に関するものである。このプラント運転支援システムは、プロセスデータ収集部１６０及び前記履歴データベース１１０にプロセスデータを記録するプロセスデータ処理部１７０を備えた点で、図１に示す第１の実施態様におけるプラント運転支援システムと異なる。つまり、当該プラント運転支援システムでは、運転手順書を表示する他に、呼び出した運転手順書に従って得られたプラント構成機器３０のプロセスデータを履歴データベース１１０に記録し、履歴データベース１１０を更新しようとするものである。
【００７２】
プロセスデータ収集部１６０は、図１０に示すように外部インターフェース１０２を介して、各プロセス構成機器３０に設置されたプロセス計器４０から各測定データを収集するものであって、運転制御監装置２０におけるプロセス収集部１１と全く同じものである。
【００７３】
プロセスデータ処理部１７０は、運転手順書の表示中に、前記情報要求入力部１４０から入力された操作情報要求に基づいて、前記プロセスデータ収集部１６０からプロセスデータを、当該表示させた運転手順書に対応させて前記履歴データベース１１０に記録するものであって、図１０に示すように、割付処理データベース１７１と、情報要求入力部１４０から入力された操作情報要求に基づき、前記割付処理データベース１７１から、収集するプロセスデータつまり収集の対象となるプロセス構成機器３０を特定する割付処理作成部１７２と、当該割付処理作成部１７２により得られた割付処理を実行する割付処理実行部１７３とを備えている。
【００７４】
このプラント運転支援システムにおける割付処理は、運転手順書表示中に、運転情報要求入力部１４０、具体的には運転手順書表示画面の最左側に、各操作タグに対応して設けられた割付処理入力欄１４５から割付処理を指示し、割付処理変更実行入力欄１４３をタッチすることにより、割付処理が起動され、割付処理要求、すなわち、履歴データとして履歴データベース１１０に保存する運転操作手順及びプロセスデータなどを選択し、実際に行われた運転操作手順及びプロセスデータを保存する。
【００７５】
つまり、当該プロセス運転支援システムにおいては、図１１に示すように、ＣＲＴディスプレイ１５２上には、例えば、○○施設××工程として、△△貯槽から□□貯槽への溶液移送運転における運転手順書が、ステップ１、ステップ２、ステップ３、……以下と順次表示される訳であるが、当該運転手順書の表示中に、各ステップ毎に割付処理実行の表示がチェックボックスとして、割付処理要求入力欄１４４に選択可能に表示される。次いで、割付処理を選択したのち、変更実行入力欄１４５から割付処理が実行されると、選択された割付処理に応じて、履歴データとして保存されるべき運転操作及びプロセスデータの種類が特定され実行される。
【００７６】
このため、当該プロセス運転支援システムの手順書データベース３１０には、図１２に示すように、関連割付処理番号フィールドが設けられており、当該フィールドには、割付処理を実行するための検索キーとなる関連割付処理番号が、操作タグ毎に対応して割り当てられている。また、割付処理データベース１７１は、図１３に示すように、関連割り込み処理番号フィールドと、実行順序番号を記録した実行順序フィールド及び操作タグ名称を記録する操作タグフィールド並びに処理すべき内容を記録する処理内容フィールドが備えられている。
【００７７】
関連割付処理番号は、手順書データデース３１０に記録されている関連処理番号と同じものが記録されており、運転手順書として表示された操作タグ毎に割付られている。実行順序番号は、保存されるべき運転操作及びプロセスデータが複数ある場合に、実行される順序を定めたものである。また、操作タグは、履歴データベース１１０に保存した後に、再び検索された場合に、手順書情報と結合するために必要とされるものであって、手順書データベース３１０に記録されたものと同一の操作タグが記録される。処理内容フィールドには、具体的な処理内容が記録されている。例えば図１１に示すように、実効処理番号（Ｎｏ）１に、処理内容として「流量現在値保存」処理が記録されており、割付処理実行部１７３は、プロセスデータ収集部１６０から指定されたプロセス機器４０の流量値を得た上で、履歴データ処理部１２０に対し、履歴データベース１１０に当該流量値を保存するように命令を出す。
【００７８】
次にこのプロセス運転支援システムにおける動作手順について、図１４に示すフローチャートに基づいて説明する。当該プロセス運転支援システムにあっては、必要とする運転手順書を表示させる点では、上記第１の実施の形態であるプロセス運転支援システムと全く同様に行なわれるため、ここではその説明を省略し、運転手順書が表示された段階から説明することにする。
【００７９】
情報要求入力部１４０から必要とされる運転方法が選択されると、図１１上段に示すようにＣＲＴディスプレイ１５２画面上に運転手順書が表示され、当該運転手順書と同時に割付処理要求入力欄１４４が表示される。この状態から、要求する割付処理要求入力欄１４４を選択して実行変更入力欄１４５をタッチして、割付処理を実行する（Ｓ３０１）。割付処理が実行されると、割付処理部は、割付処理データベースを検索して、必要な処理を検索し処理内容を抽出する（Ｓ３０２）。次に、運転手順書に示された操作がなされたことを、運転員が確認表示欄１４３をタッチして確認入力したならば割付処理が実行され（Ｓ３０３）、プロセスデータ収集部１６０は、指示されたプロセスデータを収集する（Ｓ３０４）。当該プロセスデータは、履歴データ処理部１２０によって、発生日時等必要な事項と共に履歴データベース１１０に保存される（Ｓ３０５）。
【００８０】
このようにして、運転手順書を表示すると共に、当該表示された運転手順書に従って運転操作した運転履歴データ及びその結果であるプロセスデータを保存することができる。この結果、運転履歴と運転管理されたプラント構成機器３０の挙動と一体に保存することができ、その後の運転検討における資料の保管、検索が容易に行なえる。
【００８１】
続いて、図１５に示すプラント運転支援システムについて説明する。本プラント運転支援システムは、第４の実施態様に関するものである。このプラント運転支援システムは、連続的にプロセスデータを収集することを特徴とする点で上記第３の実施の形態と異なるが、そのシステム構成は全く同様である。すなわち、本プラント運転支援システムにあっては、プロセスデータを連続的に測定することにより、時系列データとして保存しようとするものである。
【００８２】
当該プラント運転支援システムにおける履歴データベース１１０は第２の実施の形態である履歴データベース１１０と同様な構造をしており（図７参照）、プロセスデータを時系列的に保存可能するために、収集期間フィールド及び収集期間フィールドが設けられている。また、割付処理データベース１７１にも、図１３の割付処理データベースに加えて、図１６に示すように関連割付番号毎にプロセスデータのサンプリング周期を記録する収集周期フィールド及びサンプリング期間を記録する収集期間フィールドが設けられる。
【００８３】
このプラント運転支援システムにおいては、図１７に示すように上記第３の実施の形態であるプラント運転支援システムとほぼ同様なシステムとなっているが、当該プラント運転支援システムにおいては一定期間のデータサンプリングを行なうために、プロセスデータ収集部１６０には、図１７に示すようにオフタイマーを備えており、割付処理部は、割付データベースか抽出したサンプリング周期及びサンプリング期間を当該オフタイマーに設定する。
【００８４】
当該プラント運転支援システムにおける動作手順を図１８のフローチャートに従って説明すると、まず情報要求入力部１４０から必要とされる運転方法が選択されると、図１７上段に示すようにＣＲＴディスプレイ１５２画面上に運転手順書が表示され、当該運転手順書と同時に割付処理要求入力欄１４７が画面右側に表示される。この状態から、割付処理を選択して変更実行入力欄１４５をタッチして、割付処理を実行する（Ｓ４０１）。なお、当該割付処理入力欄１４５は、図１７に示すようにデータ表示欄１５４に表示される。割付処理が実行されると、割付処理実行部１７３は、割付処理データベース１７１を検索して、必要な処理と共にサンプリング周期及びサンプリング期間を抽出する（Ｓ４０２）。次に、運転手順書に示された操作がなされたことを、運転員が確認表示欄１４３をタッチすることにより確認されたならば割付処理が実行され（Ｓ４０３）、割付処理実行部１７３は、サンプリング周期及びサンプリング期間をオフタイマーに設定する（Ｓ４０４）。その後、プロセスデータ収集部１６０は指示されたプロセスデータを収集する（Ｓ４０５）。当該プロセスデータは、履歴データ処理部１２０によって、発生日時等必要な事項と共に履歴データベース１１０に保存される（Ｓ４０６）。
【００８５】
このプラント運転支援システムによれば、プロセスデータを連続的に記録することができ、運転管理を容易に行なえる。また、記録した後には、上記第２の実施の形態のように、運転操作による連続的な変化を検索することができるようになる、次に図１９に示すプラント運転支援システムについて説明する。当該プラント運転支援システムは、第５の実施態様に関するものである。図に示す第２の実施の形態であるプラント運転支援システムの構成に加えて、運転手順書の表示中に前記情報要求入力部１４０から入力された操作情報要求に基づいて、前記履歴データベース１１０に記録されたプロセスデータの平均値及び偏差値を演算するプロセスデータ演算部１８０を備え、当該演算された平均値及び偏差値をグラフとして表示可能にしたことを特徴としている。すなわち、当該プラント運転支援システムは、同じ運転操作を行なった場合に、どのようなプロセスデータが得られたのかを参考にするためのものであって、運転操作の異常を判断したり、運転操作における妥当性の判断を容易にするものである。
次に図２２に示すプラント運転支援システムについて説明する。当該プラント運転支援システムは、第６の実施態様に関するものであって、プロセスデータ収集部１６０で収集されたプロセスデータの異常を判断するプロセスデータ判定部１９０をさらに備えた点で、上記第３及び第４の実施の形態と異なるものである。すなわち、運転操作中若しくは運転操作後に得られたプロセスデータが異常であった場合に、当該異常を自動的に判定し、警報を運転員に伝えようとするものである。
【００８６】
プロセスデータ演算部１８０は上記したように、指定された割付処理要求（操作情報要求）、すなわち特定の選択された運転操作を行なった場合に、各プラント構成機器３０がどのような挙動を示したのか、得られたプロセスデータの平均値及び偏差値を演算するものである。従って、当該プラント運転支援システムにおける履歴データベース１１０は、例えば図４若しくは図７に示すような構造をしており、プロセスデータフィールドには、瞬間値若しくは連続値（グラフデータ）のいずれかが用いられる。
【００８７】
当該プラント運転支援システムにあっては、図２０に示すように運転手順書の表示中には、各操作タグ毎に割付処理要求入力欄１４７の表示が選択可能に表示される。このとき、当該割付処理要求入力欄１４７は、図２０に示すようにデータ表示欄１５４に表示される。次いで、必要割付処理要求入力欄１４７が選択され、変更実行入力欄１４５がタッチされ割付処理実行がなされると、プロセスデータ演算部１８０は、履歴データ処理部１２０に選択された割付処理要求として操作タグを送信する。
【００８８】
履歴データ処理部１２０は、選択された操作タグを検索キーとしてプロセスデータフィールドを検索して、プロセスデータ演算部１８０に同一運転条件で操作された一連のプロセスデータの全てを出力する。プロセスデータ演算部１８０は、これら出力されたプロセスデータから当該プロセスデータの平均値及び偏差値を演算して時系列的に表示部１５０に出力し、表示処理部１５２は、これらの演算結果を元にグラフ化して、ＣＲＴディスプレイ１５２上にグラフ表示する。このとき、プロセスデータが瞬間時データであれば、運転操作が行われた操作日時による時系列として表示され、プロセスデータが時系列データであれば、各時系列データの平均値及び偏差値が表示される。
【００８９】
また、このプラント運転支援システムのプロセスデータ演算部１８０は、当該平均値及び偏差値を用いて標準的な挙動を演算し、過去の履歴データについて標準的なものか否かを判断する。こうして標準的な挙動から外れていると判断された履歴データは、履歴データ処理部１２０によって削除される。
【００９０】
当該プラント運転支援システムの動作について、さらに図２１のフローチャートに従って説明すると、先ず、表示させようとする運転手順書を、運転方法を指定してＣＲＴディスプレイ１５２画面上から表示要求を行なうと（Ｓ５０１）、表示要求に従って図２０に
示すような運転手順書が表示されデータ表示欄１５４には各操作タグに対応して、平均値及び偏差値を求めるための割付処理要求入力欄１４７が表示される。運転員は、当該割付処理要求入力欄１４７をタッチして平均値等を求める操作タグを選択し、変更実行入力欄１４５から割付処理実行が命じられると（Ｓ５０２）、プロセスデータ演算部１８０は履歴データ処理部１２０に当該操作タグと一致する全てのプロセスデータを要求し、履歴データ処理部１２０は当該プロセスデータを全て抽出し、プロセスデータ演算部１８０へ出力する（Ｓ５０３）。その後プロセスデータ演算部１８０は、出力されたプロセスデータから平均値及び偏差値を算出して表示部１５０へ出力し（Ｓ５０４）、表示部１５０は当該算出された平均値及び偏差値を、発生日時を横軸としてグラフとして表示する（Ｓ５０５）。さらに、プロセスデータ演算部１８０は、当該平均値及び偏差値を基準として、標準的な挙動からはずれたものと認められるデータ、例えば、９５％信頼限界範囲外にあるプロセスデータを選択し、当該プロセスデータに該当する履歴データを異常なものと判断し、履歴データ処理部１２０は当該履歴データを削除する  （Ｓ５０６）。
【００９１】
このように、当該プラント運転支援システムにおいては、記録された履歴データを基準としてグラフ化することができ、運転操作の結果の判定をより確実に行うことができる。特に、第３及び第４の実施の形態のように、運転操作時に、プロセス機器からのプロセスデータを自動的に取り込めるようにしたプラント運転支援システムに応用することにより、順次、不必要な履歴データが更新されるため、より精度の高いプラント運転を行えるようになる。
【００９２】
次に図２２に示すプラント運転支援システムについて説明する。当該プラント運転支援システムは、第６の実施態様に関するものであって、プロセスデータ収集部１６０で収集されたプロセスデータの異常を判断するプロセスデータ判定部１９０をさらに備えた点で、上記第３及び第４の実施の形態と異なるものである。すなわち、運転操作中若しくは運転操作後に得られたプロセスデータが異常であった場合に、当該異常を自動的に判定し、警報を運転員に伝えようとするものである。
【００９３】
当該プラント運転支援システムにおけるプロセスデータ処理部１７０は、図１０又は図１５に示すプロセスデータ処理部１７０と同じものであって、プロセスデータ判定部１９０には運転許容値データベース１９１が備えられている。
【００９４】
運転許容値データベース１９１は、図２３に示すように各操作タグ、すなわち運転操作毎に、正常範囲とされるプロセスデータの最大許容値及び最小許容値が記録されている。なお、判断の対象となるプロセス計器４０はプロセスデータ処理部１７０により定められており、各操作タグ毎に監視すべきプロセス計器４０が定められ、正常範囲値もまた、当該プロセス計器４０毎により定められている。さらに、運転制御監視部１０に警報データ処理部が備えられている場合には、当該正常範囲値を、警報判定値と異なる値に設定することもできる。
【００９５】
当該プラント運転支援システムにあっては、図２４上段に示すように運転手順書表示画面上から、各操作タグに対応して設けられた割付処理要求入力欄１４７から割付処理を指示し、変更実行入力欄１４５をタッチすることにより、割付処理が起動され、予め割付処理データベース１７１に定められていたプロセスデータが収集される。同時に収集されたプロセスデータがデータ表示欄１５４に表示される。さらに当該データ表示欄１５４は、割付処理要求入力欄１４７を兼ね備えており、当該割付処理要求入力欄１４７をタッチすることにより、プロセスデータ処理部１７０によりデータの異常が判定される。こうして、収集されたプロセスデータの異常が判定されると図２４下段に示すように、収集されたデータについて、例えば上記正常範囲値内にあれば例えば緑色で表示され、また、正常範囲値外であれば例えば赤色で表示される。もちろん、各操作タグに対応して設けられた割付処理要求入力欄１４７から割付処理を指示するのみで、データの判定を行なわせるようにしてもよいのは言うまでもない。
【００９６】
次に、このプラント運転支援システムにおける動作手順を図２５のフローチャートに従って説明すると、まず運転手順書表示画面上の割付処理要求入力欄１４７からプロセスデータの異常判定要求がなされると（Ｓ６０１）、プロセスデータ収集部１６０から定められたプロセス計器４０におけるプロセスデータがプロセスデータ表示欄に表示され（Ｓ６０２）、当該データはプロセスデータ判定部１９０に出力される。プロセスデータ判定部１９０は、当該操作タグを検索キーとして、運転許容値データベース１９１から運転許容範囲、つまり最小許容値と最大許容値とを検索し、当該運転許容範囲と収集されたプロセスデータとを比較し（Ｓ６０３）、正常範囲内であれば表示部１５０は当該プロセスデータを例えば緑色として、また、正常範囲外であれば表示部１５０は当該プロセスデータを、例えば赤色として、プロセスデータ表示欄に表示する。
【００９７】
このように、プロセスデータ判定部１９０を備えることにより、運転操作をした結果得られたプロセスデータの異常が直ちに判定され、より確実にプラント運転を行うことができる。
【００９８】
次に、図２６に示すプラント運転支援システムについて説明する。当該プラント運転支援システムは、第７の実施態様に関するものであって、当該プラント運転支援部は、各運転方法毎に対応して、当該運転方法に関連する他の施設間の操作情報要求を記録した施設間情報データベース２０１を備え、前記情報要求入力部１４０から入力された他施設間操作情報要求に基づいて、前記施設間情報データベース２０１に記録された他のプラント運転支援部１００の履歴データベース１１０に記録された履歴データを参照し、当該他施設における履歴データを前記履歴データベース１１０及び／又は前記表示部１５０に表示する他施設操作履歴処理部２００を備えている。
【００９９】
すなわち、本実施の形態においては、物質の授受が他の施設との間でやり取りが行なわれる場合に、当該物質の追跡を可能ならしめるべくしたものであって、他の運転制御監視装置１０に備えられたプラント運転支援部１００において運転操作された履歴データを得た上で、運転手順書表示画面上に当該履歴データを表示させると共に必要に応じて、自己の履歴データベース１１０に記録させようとするものである。
【０１００】
施設間情報データベース２０１は、図２７に示すように、各プラント運転支援システム毎に設けられており、当該施設間情報データベース２０１には、各プラント構成機器３０の運転方法毎に、当該運転方法により取り扱われる物質に関連する他の運転方法が記録されている。例えば、この施設間情報データベース２０１が、施設１のプラント運転支援部１００に備えられたものであって、自施設における運転方法Ａに対して、共通する授受物質が関係するプラント運転支援部１００は、施設３のプラント運転支援部１００であって運転方法αであることを示している。また、運転方法Ｂに対しては、施設２のプラント運転支援部１００における運転方法ｂであることを示している。さらに、運転方法Ｃに対しては、施設４におけるプラント運転支援部１００における運転方法イであることを示している。
【０１０１】
同様に、図２８に示す施設間情報データベース２０１は、施設２における施設間情報データベース２０１であって、自施設運転方法ａに対して対応するプラント運転支援部１００はなく、運転方法ｂに対しては施設１におけるプラント運転支援部１００であって、運転方法Ｂが対応し、運転方法ｃに対しては施設３におけるプラント運転支援部１００であって、運転方法γであることを示している。同様に、施設３におけるプラント運転支援部１００や施設４におけるプラント運転支援部１００にも同様な施設間情報データベース２０１が備えられている。なお、図示した例では、１の運転方法に対して関連する他施設の運転方法は１の運転方法しか対応していないが、１の運転方法に対応して１のプラント運転支援部１００において２以上の運転方法、あるいは、１の運転方法に対応して２以上のプラント運転支援部１００における運転方法が対応する場合も考えられる。
【０１０２】
また、当該他施設操作履歴処理部２００は、情報要求入力部１４０から入力された操作情報要求、ここでは、「運転方法」を検索キーとして、前記施設間情報データベース２０１から他施設における運転方法、すなわち他施設間操作情報を検索抽出し、関連する他のプラント運転支援部１００にある他施設操作履歴処理部２００に出力する。
【０１０３】
さらに、当該他施設操作履歴処理部２００は、他の他施設操作履歴処理部２００から出力された他施設間操作情報要求に基づいて必要な検索情報、ここでは  「運転方法」を検索キーとして履歴データ処理部１２０に出力し、履歴データ処理部１２０から出力された履歴データを、出力要求があった他の他施設操作履歴処理部２００へと外部インターフェース１０２を通じて出力する。従って、当該プラント運転支援システムにおける履歴データ処理部１２０は、当該出力された検索情報から、履歴データ、特にプロセスデータのみを出力して、他施設操作履歴処理部２００へと出力する機能を有する必要がある。
【０１０４】
このような他施設操作履歴処理部２００を具備したプラント運転支援システムの動作手順にっいて、図２９に示すフローチャートに基づいて説明すると、「運転方法」及び「運転日時」と共に、他の運転制御監視装置１０間との運転操作履歴要求を、情報要求入力部１４０から操作情報要求入力すると（Ｓ７０１）、当該操作情報要求に応じて、履歴データ処理部１２０は自施設の履歴データベース１１０から該当する履歴データを抽出する（Ｓ７０２）。一方、他施設操作履歴処理部２００は、自己の施設間情報データベース２０１から指定された運転方法に対する他施設における運転方法及び施設名を検索し抽出し、該当する他のプラント運転支援部１００の他施設操作履歴処理部２００へ、検索キーとして「運転方法」を出力する（Ｓ７０３）。
【０１０５】
他のプラント運転支援部１００の他施設操作履歴処理部２００は、履歴データ処理部１２０へと検索キー「運転方法」を出力し、当該アクセスのあった日時を記録する（Ｓ７０４）。ちなみに、この記録がされた場合には関連する操作が行なわれるために、当該行なわれた運転操作が、当該プラント運転支援部１００の運転操作履歴が記録される。
【０１０６】
また、自施設の他施設操作履歴処理部２００は、他施設操作履歴処理部２００に対し該当する履歴データの送信要求を行なう（Ｓ７０５）と、他施設の履歴データ処理部１２０は、上記出力された検索キーを元に履歴データを検索し、該当する履歴データ、特にプロ市スデータを抽出し（Ｓ７０６）、他施設操作履歴処理部２００へ出力する（Ｓ７０７）。
【０１０７】
また、操作情報要求が入力されたプラント運転支援部１００にある他施設操作履歴処理部２００は、他施設から出力された履歴データを履歴データ処理部１２０へ送信して、運転日時を結合キーとして、自施設の履歴データと他施設における履歴データとを結合し（Ｓ７０８）、履歴データベース１１０に記録する（Ｓ７０９）。また、結合された両履歴データ（プロセスデータ）を運転手順書画面上に表示する（Ｓ７１０）。
【０１０８】
このように、当該プラント運転支援システムにあっては、複数の運転制御監視部１０に跨がって物質授受が行なわれた場合に、操作を行なった運転制御監視装置において当該物質授受の変化を観察することができる。また、このプラント運転支援システムにあっては、運転監視部１０間のやりとりだけでなく、複数の運転続括計算機を用いて行なわれる分割管理システムにおける場合についても同様に適用ができるものである。
【０１０９】
次に図３０に示すプラント運転支援システムについて説明する。当該プラント運転支援システムは、第８の実施形態に関するものであって、画像データが履歴データとして記録されたものである。すなわち、当該プラント運転支援システムは、図１に示す第１の実施形態のプラント運転支援システムとほぼ同様なシステム構成であるが、各運転方法に対応した画像データ（画面情報）を記録した画像データベース２１０を備え、運転手順書の表示中に画像データ処理部２２０から入力された操作情報要求に基づいて、前記画像データを表示及び記録する画像データ処理部２２０を備えた点で異なっている。
【０１１０】
図３０は、当該画像データベース２１０の構造を示すものであって、画像データベース２１０には、運転操作項目フィールドと、保存日時を記録する保存日時フィールド、運転方法名を示す運転方法フィールド、画像データ種別番号を記録した画像データ種別番号フィールド、画像データを記録した画像データフィールドが備えられている。
【０１１１】
運転操作項目フィールドは、運転手順書表示画面上から入力された操作情報要求、例えば図３２に示すように、画像データ取得画面から呼び出された画像取得入力欄（画面名称）に対応する名称が記録される。保存日時フィールドは、画像データが保存された日時を示すものである。また、運転方法フィールドは、検索キーとなる運転方法が記録されたものであって、画像データ種別番号とは記録された画像データの種別ごとに付与された番号である。画像データフィールドには、入力された操作情報要求によって実際に収録された画像データが保存される。
【０１１２】
画像データ処理部２２０は、情報要求入力部１４０から入力された操作情報要求に基づいて起動されるものであって、当該画像データ処理部２２０は、履歴データベース１１０から入力された操作情報要求に基づいて、必要な画像データを表示部１５０に出力し、ＣＲＴディスプレイ１５２上に当該画像データを表示する。また、画像データ処理部２２０は、情報要求入力部１４０から入力された操作情報要求（例えば図２に示す割付処理変更入力欄１４３をタッチすることにより図示しない画面記録要求入力欄が表示される）に基づいて、必要な画稼デー夕を履歴データベース１１０を、表示されている運転手順書データに対応する運転方法名と共に画像データベース２１０に記録する。
【０１１３】
さらに例えば図３２に従って詳細に説明すると、画像データ処理部２２０は、運転手順書表示画面上から、操作情報要求として画像データ選択が入力されると、図３２に示すように画像データ取得画面を表示する。当該画像データ取得画面には、入手しようとする画像データの種別が、例えば、全体画面表示（Ｓｃｒｅｅｎ）、ポップアップ画面表示（Ｐｏｐ−ｕｐ）及び操作タグ画面表示（ｔａｇ）などが表示される。当該画像データ取得画面は、随時表示画面上に表示され、例えば、図３３に示すようなグラフデータ画面が表示されている場合にも、選択することが可能である。
【０１１４】
全体画像データとしては、例えば図３４に示すように、当該プラント運転支援部１００に対応する運転制御監視装置２０の全体の系統図を示す画面であり、ポップアップ画面とは、当該運転方法にのみ必要なデータを示す画面であり、また、操作タグ画面とは、選択された運転方法に必要な運転操作方法を示す画面である。もちろん、表示可能な画像データとしては、これらの画面に限定されるものではなく、運転操作に必要とされる画像データが選択される。さらに画像データ処理部２２０は、例えば全体画像データが選択された場合には、さらに詳細な画面取得情報が提示され、割付操作情報が入力要求される場合もある。
【０１１５】
次に、当該プラント運転支援システムにおける動作手順を図３５に示すフローチャートに従って説明すると、まず、運転手順書表示画面から、画像データ表示要求がなされると、ＣＲＴディスプレイ１５２上に画像データ取得画面が表示され、操作情報要求を入力する（Ｓ８０１）。次に、画像データ処理部２２０は、詳細な画像データ取得画面から入力された操作情報要求が「新規作成」であるか否かを判断し（Ｓ８０２）、新規作成であれば必要な画面情報を表示部１５０から取得し（Ｓ８０３）、保存日時や画像データ種別番号など必要な項目と共に、画像データベース２１０に記録する（Ｓ８０４）。一方、Ｓ８０２で「新規作成」でない場合には、画像データ処理部２２０は、画像データベース２１０から該当する画像データを検索抽出し、画像データを表示部１５０へ出力し、ＣＲＴディスプレイ１５２上に当該画像データを表示する（Ｓ８０５）。
【０１１６】
このように当該プラント運転支援システムにあっては、必要であれば画像データを保存すると共に、表示された運転手順書から必要な過去の画像データを表示させることができ、より確実な運転操作を行なえる。
【０１１７】
次に図３６に示すプラント運転支援システムについて説明する。当該プラント運転支援システムは、第９の実施の態様に関するものであって、警報データ処理部１２を備えた分散型制御システムに適用されるものである。ここで履歴データベース１１０がさらに警報情報を記録した警報データ種別フィールドを備え、プラント運転支援部１００が、前記警報データ処理部１２から出力された警報情報に基づいて、前記履歴データベース１１０に記録された履歴データを出力する警報処理部２３０を備えたことを特徴としている。すなわちこのプラント運転支援システムは、過去に発生した警報と同じ警報に対して、その当時の操作履歴情報を運転手順書と共にＣＲＴディスプレイ１５２上に表示しようとするものである。
【０１１８】
警報データ処理部１２は、各運転操作制御監視装置１０ごとに備えられており、測定された計測データが設定された警報限界値を越えた場合には、警報を検知したプロセス計器４０や信号名称、当該警報の程度、つまり警報の重要度、例えば、重警報、中警報、軽警報であるのかが判断され、また正常に復帰した場合には、正常に復帰したことを重要度として判断し、瞥報処理部２３０へ出力する。
【０１１９】
警報処理部２３０は、当該警報データ処理部１２で判断された瞥報情報、つまり、警報を検知した施設や工程を検知すると、当該警報情報を履歴データ処理部１２０へ当該警報情報を出力し、履歴データ処理部１２０から、前記施設・工程情報に基づいて履歴データベース１１０より、該当する履歴データを検索する。当該プラント運転支援システムにおける履歴データベース１１０は、図３７に示すように、警報が発生した日時を記録する保存日時フィールド、警報の程度を記録する警報データ種別フィールド、警報が発生した施設・工程を記録する施設・工程フィールド、対象となる運転方法を示す運転方法フィールド、操作タグフィールド、発生した具体的な内容を記録する記録データフィールド、当時のプロセスデータを記録するプロセスデータフィールドが備えられる。また、記録データフィールドには、どのようなプロセス計器４０で警報が発生し、どのような症状を生じたのかが具体的に記録されている。
【０１２０】
当該プラント運転支援システムにおける動作手順を図３８のフローチャートによって説明すると、通常運転中に警報データ処理部１２力壜報情報を検知すると警報情報が警報処理部２３０へ出力される（Ｓ９０１）。警報処理部２３０は当該警報情報から検索キーとしてプロセス計器４０や信号名称を探し出し、履歴デ一夕処理部１２０へ出力する（Ｓ９０２）。当該履歴データ処理部１２０は、当該探し出された検索キーにより履歴データベース１１０を検索し、ヒットした履歴データを警報処理部２３０へと出力する（Ｓ９０３）。このとき、履歴データ処理部１２０では、警報が発生した場合の一連の操作を、警報発生から復帰時までのブロック単位として出力する。警報処理部２３０は、ヒットした履歴データを例えば運転工程毎に並び替えあるいは時系列で並び替えて、表示部１５０に出力し、ＣＲＴディスプレイ１５２上に表示する（Ｓ９０４）。
【０１２１】
このように、当該プラント運転支援システムにおいては、運転監視制御システムからの警報と同期して警報が発生した場合に、過去の警報発生時の履歴データが表示され、警報発生時の過去の履歴データを容易に確認できる。
【０１２２】
次に図３９に示す第１０の実施の態様に関するプラント運転支援システムについて説明する。上記の各プラント運転支援システムにおいては、運転手順書を表示させたり、従来の履歴操作情報を表示したり、あるいは運転操作によるプラントデータを取得させることはできたが、プラント運転支援システムにおける実際の操作手順については記録させることができなかった。このため、プラント運転員は例えば、異常が発生した際には、どのような手順によってプラント運転支援システムから情報を得ていたのか再現することができない。また、当時の操作手順が最も効果的なものでない場合には、引き続いて試行錯誤することにより、新たな手順を覚えなければならなかった。そこで、当該プラント運転支援システムにおいては、上記各プラント支援システムにおける操作手順を記録させることができる陽にしたものである。当該プラント運転支援システムにおいては、プロセス計器４０からのプロセスデータを収集するプロセスデータ収集部１６０が備えられている。
【０１２３】
当該プラント運転支援システムは、運転手順書の表示中に画像データ処理部２２０から入力された割付処理要求に基づいて、運転手順書に基づいて実際に操作された操作手順を記録する操作記録処理部２４０を備えている。操作記録処理部２４０は、操作記録作成部２４１と操作記録データベース２４２とを具備している。
【０１２４】
操作記録データベース２４２は、例えば、図１３に示す割付処理データベース１７１と同様な構造を有しており、割付処理番号を示す関連割付処理番号フィールド、一連の操作順序を記録した実行順序データフィールド、操作タグを示す操作タグフィールド、具体的な処理内容を記録する処理内容データフィールドが備えられている。従って、当該操作記録データベース２４２は、請求項に対応する割付処理データベース１７１を備えている場合には、当該操作記録データベース２４２と兼用させることができる。
【０１２５】
当該操作記録作成部２４１は、制御・監視画面上から入力された操作情報要求（割付処理作成）、例えば図４０上段に示す監視画面上から操作タグ欄が選択され割付処理が実行されると、図４０中段に示すような割付処理画面を表示する。次に、当該割付処理画面から操作タグ情報を選択し、変更実行入力すると、プロセスデータが収集され、当該操作記録が操作記録データベース２４２に記録される。
【０１２６】
次に当該プラント運転支援システムにおける動作手順について、図４１に示すフローチャートに基づいて説明する。まず、図４０に示すように制御運転手順書表示画面上から、操作タグを選択して割付処理変更実行を行い（Ｓ１００１）、割付処理画面を表示させる。次に、割付処理操作情報要求として記録する操作タグを指定し、実際に操作を行なう操作を設定する（Ｓ１００２）。こうして、実際のタグ操作（運転操作）を行なうと（Ｓ１００３）、プロセスデータがプロセス収集部１６０によって収集され（Ｓ１００４）、操作記録作成部２４１は、実際に行なう操作手順を、操作タグと共に操作された実行順序を実行順序データフィールドに順次書き込まれ、また、履歴データベース１１０にプロセスデータが記録される（Ｓ１００５）。このようにして、実際の操作が操作記録データベース２４２上に記録される。このように操作記録処理部２４０を設けることにより、適宜実際に操作された内容が記録され、最適な操作を簡単に再現することができる。また、これらの操作記録は、操作記録データベース２４２に記録することにしたが、履歴データベース１１０上に記録させるようにしてもよいのはもちろんである。
【０１２７】
なお本発明において、プロセスデータとしてプラント構成機器３０に備えられたプロセス計器４０のデータを収集させることにしているが、プロセス計器４０からの測定値のみでなく、プラント構成機器３０の周辺を撮影するＣＣＲなどのようなカメラなどを用いることができ、その瞬間の画像データ及び一定時間記録された動画データについても適用が可能なものである。
【０１２８】
【発明の効果】
本願請求項１記載の発明によれば、蓄積されたプロセスデータの平均値及び偏差値をグラフとして表示させることができる。この結果、これから操作するプラント構成機器のトレンドをグラフとして簡単に得ることができる。また、運転手順書から複雑な操作をすることなく簡単に引き出すことができる。
【０１２９】
また本願請求項２記載の発明によれば、警報を検知する警報データ処理部から送信された警報情報に従って、過去に発生した同様の警報の際の履歴データを簡単に参照できる。従って、運転員は警報発生時についても、直ちに同様の運転操作を行なえ、過去の経験を有意義に利用できる。
【図面の簡単な説明】
【図１】  第１の実施の形態に関するプラント運転支援システムの概略構成図
【図２】  図１のプラント運転支援システムにおける運転手順書の表示例を示す説明図
【図３】  図１のプラント支援システムにおける手順書データベースの記録構造を示す説明図
【図４】  図１のプラント運転支援システムにおける履歴データベース１１０の記録構造を示す説明図
【図５】  図１のプラント運転支援システムにおける操作手順を示すフローチャート
【図６】  第２の実施の形態に関するプラント運転支援システムの概略構成図
【図７】  図６のプラント運転支援システムにおける履歴データベース１１０の記録構造を示す説明図
【図８】  図６のプラント運転支援システムにおける履歴データの表示例を示す説明図
【図９】  図６のプラント運転支援システムにおける操作手順を示すフローチャート
【図１０】  第３の実施の形態に関するプラント運転支援システムの概略構成図
【図１１】  図９のプラント運転支援システムにおける割付処理操作の表示例を示す説明図
【図１２】  図９のプラント支援システムにおける手順書データベースの記録構造を示す説明図
【図１３】  図９のプラント運転支援システムにおける履歴データベース１１０の記録構造を示す説明図
【図１４】  図９のプラント運転支援システムにおける操作手順を示すフローチャート
【図１５】  第４の実施の形態に関するプラント運転支援システムの概略構成図
【図１６】  図１５のプラント運転支援システムにおける履歴データベース１１０の記録構造を示す説明図
【図１７】  図１５のプラント運転支援システムにおける割付処理操作の表示例を示す説明図
【図１８】  図１５のプラント運転支援システムにおける操作手順を示すフローチャート
【図１９】  第５の実施の形態に関するプラント運転支援システムの概略構成図
【図２０】  図１９のプラント運転支援システムにおける割付処理操作の表示例を示す説明図
【図２１】  図１９のプラント運転支援システムにおける操作手順を示すフローチャート
【図２２】  第６の実施の形態に関するプラント運転支援システムの概略構成図
【図２３】  図２２のプラント運転支援システムにおける運転許容値データベースの記録構造を示す説明図
【図２４】  図２２のプラント運転支援システムにおける割付処理操作の表示例を示す説明図
【図２５】  図２２のプラント運転支援システムにおける操作手順を示すフローチャート
【図２６】  第７の実施の形態に関するプラント運転支援システムの概略構成図
【図２７】  図２６のプラント運転支援システムの施設間情報データベースの記録構造の一例を示す説明図
【図２８】  図２６のプラント運転支援システムの施設間情報データベースの記録構造の他例を示す説明図
【図２９】  図２６のプラント運転支援システムにおける操作手順を示すフローチャート
【図３０】  第８の実施の形態に関するプラント運転支援システムの概略構成図
【図３１】  図３０のプラント運転支援システムにおける画像データベースの記録構造を示す説明図
【図３２】  図３０のプラント運転支援システムにおける画像データ取得画面の表示例を示す説明図
【図３３】  図３０のプラント運転支援システムにおける画像データの一例を示す説明図
【図３４】  図３０のプラント運転支援システムにおける画像データの他例を示す説明図
【図３５】  図３０のプラント運転支援システムにおける操作手順を示すフローチャート
【図３６】  第９の実施の形態に関するプラント運転支援システムの概略構成図
【図３７】  図３６のプラント運転支援システムにおける割付処理操作の表示例を示す説明図
【図３８】  図３６のプラント運転支援システムにおける操作手順を示すフローチャート
【図３９】  第１０の実施の形態に関するプラント運転支援システムの概略構成図
【図４０】  図３９のプラント運転支援システムにおける操作画面の表示例を示す説明図
【図４１】  図３９のプラント運転支援システムにおける操作手順を示すフローチャート
【図４２】  プラント運転監視制御システムの模式図
【図４３】  プラント運転監視制御システムの概略的構成図
【符号の説明】
１０……運転制御監視装置 １１……プロセスデータ収集部
１２……警報データ処理部 １３……履歴データ処理部
１４……履歴データベース １５……表示処理部
１６……ＣＲＴディスプレイ ２０……運転統括計算機
２１……ガイドデータ算出部 ３０……プラント構成機器
４０……プロセス計器 １００……プロセス運転支援部
１１０……履歴データベース １２０……履歴データ処理部
１３０……手順作成部 １４０……操作情報要求入力部
１４１……入力処理部 １４２……タッチセンサ
１４３……確認表示欄 １４４……割付処理要求入力欄
１４５……変更実行入力欄 １４６……割付処理変更入力欄
１４７……その他の割付処理要求入力欄
１４８……閉じる入力部 １５０……表示部
１５１……表示処理部
１５２……ＣＲＴディスプレイ（表示装置）
１５３……運転手順書表示欄 １５４……データ表示欄
１６０……プロセスデータ収集部 １７０……プロセスデータ処理部
１７１……割付処理データベース １７２……割付処理作成部
１７３……割付処理実行部 １８０……プロセスデータ演算部
１９０……プロセスデータ判定部 １９１……運転許容値データベース
２００……他施設操作履歴処理部 ２０１……施設間情報データベース
２１０……画像データベース ２２０……画像データ処理部
２３０……警報処理部 ２４０……操作記録処理部
２４１……操作記録作成部 ２４２……操作記録データベース
３００……手順書データベース部 ３１０……手順書データベース
３２０……手順書データ処理部
【図１】
0003954243.tif 000002
【図２】
0003954243.tif 000003
【図３】
0003954243.tif 000004
【図４】
0003954243.tif 000005
【図５】
0003954243.tif 000006
【図６】
0003954243.tif 000007
【図７】
0003954243.tif 000008
【図８】
0003954243.tif 000009
【図９】
0003954243.tif 000010
【図１０】
0003954243.tif 000011
【図１１】
0003954243.tif 000012
【図１２】
0003954243.tif 000013
【図１３】
0003954243.tif 000014
【図１４】
0003954243.tif 000015
【図１５】
0003954243.tif 000016
【図１６】
0003954243.tif 000017
【図１７】
0003954243.tif 000018
【図１８】
0003954243.tif 000019
【図１９】
0003954243.tif 000020
【図２０】
0003954243.tif 000021
【図２１】
0003954243.tif 000022
【図２２】
0003954243.tif 000023
【図２３】
0003954243.tif 000024
【図２４】
0003954243.tif 000025
【図２５】
0003954243.tif 000026
【図２６】
0003954243.tif 000027
【図２７】
0003954243.tif 000028
【図２８】
0003954243.tif 000029
【図２９】
0003954243.tif 000030
【図３０】
0003954243.tif 000031
【図３１】
0003954243.tif 000032
【図３２】
0003954243.tif 000033
【図３３】
0003954243.tif 000034
【図３４】
0003954243.tif 000035
【図３５】
0003954243.tif 000036
【図３６】
0003954243.tif 000037
【図３７】
0003954243.tif 000038
【図３８】
0003954243.tif 000039
【図３９】
0003954243.tif 000040
【図４０】
0003954243.tif 000041
【図４１】
0003954243.tif 000042
【図４２】
0003954243.tif 000043
【図４３】
0003954243.tif 000044